Podtech/llm-jp-corpus-v4-ja_patent huggingface dataset:
(57)【要約】      （修正有）【課題】両面粘着シート部分の面積を小さくし、ガラス付扉のガラス裏面に貼り、扉の表より見て目立たず見苦しさを感じない適宜な大きさに形成した粘着フックを提供する。【解決手段】硬質素材のコの字型長尺モールを適宜な長さに裁断し本体フック１を形成し、背面には両面粘着シート２を貼り合せる手段とした。【選択図】図１
0003130440.tif 000002
【実用新案登録請求の範囲】
【請求項１】
コの字型長尺モール３を適宜な長さの裁断により本体フック１を形成し、背面に両面粘着シート２を貼り合せ正面フック４を吊着可能にした粘着フック。
【考案の詳細な説明】
【技術分野】
【０００１】本考案はサイドボードなどのガラス付扉のガラス裏面に貼るための粘着シート面積の小さいハンガーフックに関するものである。
【背景技術】
【０００２】ハンガーフック本体を型によって形成した形状の物のみである、また耐加重を増すために両面粘着シート部分を大きく形成した物が多く小さい物は皆無である。
【考案の開示】
【考案が解決しようとする課題】
【０００３】解決しようとする課題は、両面粘着シート部分の面積を小さくし、ガラス付扉のガラス裏面に貼り、扉の表より見て目立たず見苦しさを感じない適宜なサイズに形成した粘着フックを提供する事である。
【課題を解決するための手段】
【０００４】本考案は、硬質素材を使用した市販のコの字型長尺モール３を適宜な長さに裁断し本体フック１を形成し、その背面には両面粘着シート２を貼り合せ構成させた。
【考案の効果】
【０００５】本考案をガラス裏面に使用しガラス付扉を表より見たとき、粘着フックＡの背面の両面粘着シート２部分が吊下げた装飾レースなどと見た目に一体化し、ガラス越に目立たなくなり装飾性が格段に向上する。【０００６】本考案を使用した場合の成型工程は不要であり、コの字型長尺モール３を裁断のみで本体フック１を形成でき小ロットで安価に形成させることが可能になる。
【考案を実施するための最良の形態】
【０００７】図２の断面がコの字型長尺モール３を長尺モール裁断面５の如く適宜な長さに裁断し本体フック１を形成し、背面に両面粘着シート２を貼り合せ、吊着物を正面フック４に吊るす形態にした。
【実施例】
【０００８】硬質素材を用いた断面がコの字型長尺モール３を長尺モール裁断面５の如く適宜の長さにて裁断し本体フック１を形成する。【０００９】本体フック１の背面には両面粘着シート２を貼り合せる。【００１０】粘着フックＡをガラス裏面に貼り、正面フック４に装飾レースなどを吊下げた状態を表よりガラス越に見た場合、粘着シート２のガラスとの貼り合せ面積が小さく見た目に一体化し装飾性が増す。
【産業上の利用可能性】
【図面の簡単な説明】
【００１１】
【図１】本考案の斜視図である。
【図２】コの字型長尺モールの裁断斜視図である。
【符号の説明】
【００１２】Ａ    粘着フック
１    本体フック
２    両面粘着シート
３    コの字型長尺モール
４    正面フック
５    長尺モール裁断面
【図１】
0003130440.tif 000003
【図２】
0003130440.tif 000004
(57)【要約】      （修正有）【課題】停止表示器をビニ−ル製空気袋体によって構成し、収縮や折り畳み可能として収納や折り畳みの便を図ると共に、エア−ポンプや発光ダイオ−ドなどを装備することによってその機能性を更に向上させる。【解決手段】ビニール製空気袋体１をもって三角形状停止表示器を形成し、反射部材２を設け、これをゴム製ブロック基台３に膨張・収縮可能に固着し、且つ該空気袋体１に送気するフット・エア−ポンプ４を備えると共に、複数箇の発光ダイオ−ド５とこの点滅を行うスイッチ６と電源電池部７と通電回路を装備する。【選択図】図１
0003130434.tif 000002
【実用新案登録請求の範囲】
【請求項１】
ビニ−ル製空気袋体１をもって三角形状停止表示器を形成し、この表面に反射部材２を設け、且つこの底部を横長のゴム製ブロック基台３の上面に固着すると共に、該空気袋体１に送気するフット・エア−ポンプ４を備え、更に該ブロック基台３の表面の一部に複数箇の発光ダイオ−ド５を設け、この点灯・消灯を行うスイッチ６と電源電池部７と通電回路を装備してなる自動車停止表示器。
【考案の詳細な説明】
【技術分野】
【０００１】  本考案は、道路上において自動車が故障や事故等によってやむを得ず駐停車する際に、後続車両に対して当該自動車が停車していることを表示する停止表示器に関するものである。
【従来技術】
【０００２】  従来の自動車停止表示器は、三角形状の硬質プラスチック部材の表面に反射部材を設けてなるのが一般的である。
【考案が解決しようとする課題】
【０００３】  従来品は、三角形状の停止表示器部材が全て硬質部材で製作されているため、使用後に折り畳むことも縮小することもできない。従って大きな収納スペ−スを要するし、かなりの重量となって持ち運びにも不便を生じる。
また、自動車トランクなどに格納した場合でも、走行中の振動によって騒音を発生するし、車内の内装や表示器自体を損傷しがちとなる。
【課題を解決するための手段】
【０００４】  そこで本考案は、従来の硬質プスチック部材からなる三角停止表示器をビニ−ル製空気袋体１とすることによって折り畳みや収縮可能とし、収納や運搬を便利にすると共に、格納時における振動による騒音発生を防止し、衝撃による車内内装や表示器自体の損傷をなくしてなるものである。
【考案の実施の形態・実施例】
【０００５】  三角形状の空気袋体１を製し、且つ表面に反射部材２を設けると共に、この底部を横長のゴム製ブロック基台３の上面に固着し、更に該空気袋体１に送気するフット・エア−ポンプ４を装備してなる。
【０００６】  更に、前記ブロック基台３の上面の一部に複数箇の発光ダイオ−ド５を設け、且つこの点灯・消灯を行うスイッチ６と電源電池部７と配線部材を備えてなる。
なお、配線部材は前記ブロック基台３の内部に内装されることが望ましい。
【０００７】  上述のように本考案は、道路上において自動車が故障や事故などを起こした時に取り出して、フット・エア−ポンプ４を踏むことによって三角形状のビニ−ル製空気袋体１が膨張する。
次いでこれをゴム製ブロック基台３を下にして設置すれば安定して直立する。更にスイッチＯＮすることによって発光ダイオ−ド５が点灯し、反射部材２と相まって後続車に対する警戒注意を強力に喚起できる。
【考案の効果】
【０００８】  後続車両などの追突や衝突を未然に防止できると共に、簡単に設置できる。しかも不使用時にはエア−を抜くだけでコンパクトに収縮して折り畳め、収納や持ち運びに便利となり、且つ振動による騒音発生もなくなり、衝撃による損傷も生じない有益考案を提供するものである。
【図面の簡単な説明】
【０００９】
【図１】    本考案の実施例を示す斜視図。
【図２】    本考案のＡ−Ｂ線断面図。
【符号の説明】
【００１０】  １    ビニ−ル製空気袋体
２    反射部材
３    ゴム製ブロック基台
４    フット・エア−ポンプ
５    発光ダイオ−ド
６    スイッチ
７    電源電池部
【図１】
0003130434.tif 000003
【図２】
0003130434.tif 000004
(57)【要約】      （修正有）【課題】模型用サーボモーターにおける最終出力軸の軸受けの数と設置位置を見直し、より強固に支持することにより、高負荷にも耐えうる模型用サーボモーターを提供することである。【解決手段】模型用サーボモーターの最終出力軸Ａの軸受けを従来の位置に加え最終出力軸に設置されたギヤＢの下側の位置に軸受けＣを追加設置することで、ギヤの上下に軸受けを配置する。【選択図】図１
0003130431.tif 000002
【実用新案登録請求の範囲】
【請求項１】
サーボモーターの最終出力軸の軸受けを  最終出力軸に設置されたギヤの上方と下方に設置した、多点支持型模型用サーボモーター。
【考案の詳細な説明】
【考案の明細な説明】
【産業上の利用分野】
【０００１】今考案は模型用サーボモーターに関するものである。
【背景技術】
【０００２】模型用のサーボモーターは、ラジコンの車、飛行機、ヘリコプターなどに幅広く使用されている。車の場合はハンドル操作、飛行機の場合は舵を動かすために使用されるが、模型に搭載する性質上、小さくて軽い必要がある上、サーボモーターの大きさに対して非常に高負荷がかかる苛酷な条件下での使用が基本となっている。また、近年、ロボットの関節に使われることも多くなってきており、これまで以上に模型用サーボモーターに高負荷がかかるようになってきた。一般的にサーボモーターは、サーボホーンというアームを回転させることによって、各リンケージを押し引きするように設置されているが、このアーム部に高負荷がかかることになるので、それを支えている最終出力軸に「ねじり」や「ひねり」の力がかかる。その出力軸は、通常、一つの軸受けで支持（図２−Ｇ）される１点支持になっており、高負荷がかかった場合、軸がずれてしまうため、ギヤの噛み合いが適切ではなくなり、破損してしまうことがあった。
【発明が解決しようとする課題】
【０００３】本考案が解決しようとする課題は、模型用サーボモーターにおける最終出力軸の軸受けの数と設置位置を見直し、より強固に支持することにより、高負荷にも耐えうる模型用サーボモーターを提供することである。
【課題を解決するための手段】
【０００４】模型用サーボモーターの最終出力軸（図１−Ａ）の軸受けを従来の位置に加え最終出力軸（図１−Ａ）に設置されたギヤ（図１−Ｂ）の下側の位置に軸受け（図１−Ｃ）を追加設置することで、ギヤ（図１−Ｂ）の上下に軸受けを配置する。
【作用】
【０００５】サーボホーン（図１−Ｄ）にかかる負荷により最終出力軸（図１−Ａ）が「ねじり」や「ひねり」の力を受けたとき、ギヤ（図１−Ｂ）の上下に軸受けがあることで、軸受け同士の間隔を長く取ることが出来、サーボホーンに加わる力を長いモーメントで受けることが出来きる。  したがって、軸受けに対する負荷を軽減でき、結果大きな力に耐えられるようになる。さらにギヤの上下を軸受けではさむことによって、ギヤ（図１−Ｂ）の位置がずれることがなくなり、ギヤの噛み合が適切な状態をキープすることができるので、ギヤの破損もなくなるのである。
【実施例】
【０００６】軸受けをギヤ（図１−Ｂ）の上下に２個づつ配置するなど、軸受けの数量を変更することで、より大きな負荷に耐えられるようになる。さらに必要に応じて図３（最終出力軸貫通型）のように最終出力軸がサーボを貫通するように設置し、軸受け間の距離を長く取ることで、より負荷に対して強い保持力を持たせられる。この場合、最終出力軸をサーボに対して貫通させることが出来るようになるので、サーボホーンなどのアームを追加し、２箇所動作させることが出来る。
【発明の効果】
【０００７】本考案を実施することにより、サーボに高負荷が加えられたとき、最終出力軸の位置が本来あるべき位置からずれることがなくなり、ギヤなどの破損が少なくなるばかりでなく、サーボの動作を精密に再現できるのである。
【図面の簡単な説明】
【図１】多点支持型模型用サーボモーターの断面図  Ａ  最終出力軸  Ｂ  最終出力軸に取り付けられたギヤ  Ｃ  本考案により追加された軸受け  Ｄ  サーボホーン  Ｅ  サーボ動作角検出センサー（ポテンション）  Ｆ  モーター  Ｇ  軸受け
【図２】従来のサーボモーターの断面図  Ａ  最終出力軸  Ｂ  最終出力軸に取り付けられたギヤ  Ｄ  サーボホーン  Ｅ  サーボ動作角検出センサー（ポテンション）  Ｆ  モーター  Ｇ  軸受け
【図３】多点支持型模型用サーボモーターにおける最終出力軸貫通型の断面図  Ａ  最終出力軸  Ｂ  最終出力軸に取り付けられたギヤ  Ｄ  サーボホーン  Ｅ  サーボ動作角検出センサー（ポテンション）  Ｆ  モーター  Ｈ  軸受け  Ｉ  追加できるサーボホーンの位置
【図１】
0003130431.tif 000003
【図２】
0003130431.tif 000004
【図３】
0003130431.tif 000005
(57)【要約】【課題】  本考案は雨傘本体の柄の先端部分に懐中電灯を収納せしめて、雨に濡れて滑りやすくなった暗い道等を歩行する際の危険防止と交通事故防止をする。【解決手段】  本考案は雨傘本体１の柄２の先端部分に懐中電灯の電球及び電池等を収納せしめる懐中電灯収納室３を設け、その前部に取り外し自在のレンズ４と、同じくその後部に取り外し自在の填め込み式の蓋５を装着することで、電球及び電池の交換が自在に出来、且つ、懐中電灯収納室３の上部にスイッチ６を設けることで点灯及び消灯が自在になり、雨傘として使いながら懐中電灯の役目も果たすことができる。【選択図】図１
0003130439.tif 000002
【実用新案登録請求の範囲】
【請求項１】
雨傘本体の柄の先端部分に懐中電灯を収納せしめたことを特徴とする懐中電灯付雨傘。
【考案の詳細な説明】
【技術分野】
【０００１】  本考案は、懐中電灯を収納せしめた、雨傘に関するものである。
【背景技術】
【０００２】  雨降りの夜間に暗い道等を歩行する際、片手に雨傘を持ち、もう一方の手に懐中電灯を持っていた。
【考案の開示】
【考案が解決しようとする課題】
【０００３】  雨に濡れた地面は滑りやすくなっており、両手が塞がった状態で転倒すれば大怪我をする恐れがある。また手荷物等を持つことも制限されるので不便でもある。従って、雨傘の機能と懐中電灯の機能を一体化することにより片手を自由に使うことが可能になり、前述の欠点を解決しようとするものである。
【課題を解決するための手段】
【０００４】  本考案は、雨傘本体の柄の先端部分に懐中電灯を収納せしめることで解決している。
【考案の効果】
【０００５】  上述の様に、本考案の懐中電灯付雨傘は雨傘として使うことは勿論、懐中電灯の役割を兼ねることにより、雨降りの夜間に暗い道等を歩行する際の危険防止になり、また視界の悪い状況下での、自動車、バイク、自転車等の運転者に電灯の明かりで歩行者の存在を認識させることが可能になるので交通事故防止にも役立つ。
【考案を実施するための最良の形態】
【０００６】  雨傘本体の柄の先端部分に収納室を設け、当該収納室に形状とサイズを合わせて作成した懐中電灯を収納せしめる。
【実施例】
【０００７】  以下、添付図面に従って一実施例を説明する。１は耐久性のプラスチック等適宣素材にて一体化形成された雨傘本体、２は当該雨傘本体１の柄で、その柄２の先端部分に懐中電灯の電球及び電池等を収納せしめる懐中電灯収納室３を設け、懐中電灯収納室３の前部に電灯を照らす取り外し自在の填め込み式レンズ４、５は懐中電灯収納室３の後部に電池の取り替えが自在にできる填め込み式の蓋で、６は懐中電灯のスイッチ。
【図面の簡単な説明】
【０００８】
【図１】本考案の懐中電灯付雨傘の一実施例を示す平面図である。
【符号の説明】
【０００９】  １  雨傘本体
２  柄
３  懐中電灯収納室
４  レンズ
５  蓋
６  スイッチ
【図１】
0003130439.tif 000003
(57)【要約】【課題】真空吸着と静電吸着の問題を減少できるスペーサーシートを提供する。【解決手段】周縁に若干の凹み１２を有し、表面に少なくとも一つの導気溝１４を有する。導気溝１４の両端は、それぞれ凹み１２に通じている。凹み１２は、導気傾斜を一つ有する。導気傾斜は、斜め上に向いた平面又は斜め上に向いた曲面である。スペーサーシート１０とガラス基板２０が交互式に一緒に重ねられる時、気流を供して凹み１２に入れる。つまり、気流をガラス基板２０の下に存在させて、気流が上に向かってガラス基板２０に力を与えることができるようにして、ガラス基板２０とスペーサーシート１０の真空吸着と静電吸着効果を減少又は除去する。【選択図】図３
0003130490.tif 000002
【実用新案登録請求の範囲】
【請求項１】
周縁に若干の凹みを有することを特徴とするスペーサーシート。
【請求項２】
表面に少なくとも一つの導気溝を有することを特徴とする請求項１記載のスペーサーシート。
【請求項３】
前記導気溝の２端は、それぞれ前記凹みに通じていることを特徴とする請求項２記載のスペーサーシート。
【請求項４】
前記凹みは、導気傾斜を一つ有することを特徴とする請求項１記載のスペーサーシート。
【請求項５】
前記導気傾斜は、斜め上に向いた平面であることを特徴とする請求項１記載のスペーサーシート。
【請求項６】
前記導気傾斜は、斜め上に向いた曲面であることを特徴とする請求項１記載のスペーサーシート。
【考案の詳細な説明】
【技術分野】
【０００１】
本考案は、スペーサーシートに関するものであり、特に、ガラス基板の真空吸着と静電吸着の問題を少なくすることができるスペーサーシートに関するものである。
【背景技術】
【０００２】
スペーサーシートの使用範囲は極めて広く、例えば、複数のガラス基板を一つの包装体に包装して使用する場合、その原理は主に複数のスペーサーをそれぞれ各ガラス基板の間に置き、各当該スペーサーシート部により各当該ガラス基板を仕切り、ガラス基板を保護する目的を達する。
一般的なスペーサーシートには表面に特殊なスジを作ることがあり、また、あるスペーサーシートには表面に特殊な表層を設置することがあり、その目的はおしなべてガラス基板とスペーサーシートとの間の真空吸着と静電吸着の問題を少なくする所にある。しかしながら、前述の抗真空吸着と静電吸着の構造は、スペーサーシートを間隔の大きいサイズのガラス基板に用いる時、効果が非常に限られる。ロボットアームでガラス基板を取り出す過程において、下層のガラス基板はやはり真空吸着の問題により上へ吸着され、その後、下に落ちて壊れることがある。
【考案の開示】
【考案が解決しようとする課題】
【０００３】
本考案の主な目的は、スペーサーシートを提供する所にあり、これは、真空吸着と静電吸着の問題を有効的に少なくすることができる。
【課題を解決するための手段】
【０００４】
上述の目的を達するため、スペーサーシートは、周縁に若干の凹みを有する。スペーサーシートとガラス基板を交互式に一緒に重ねる時、気流を供して当該凹みに入れる。つまり、気流をガラス基板の下に存在させて、気流が上に向かってガラス基板に力を与えることができるようにして、ガラス基板とスペーサーシートの真空吸着と静電吸着効果を減少又は除去する。
【考案を実施するための最良の形態】
【０００５】
図１と図２に示すように、本考案の一実施例によるスペーサーシート１０は、周縁に若干の凹み１２を有し、表面に若干の交錯をした導気溝１４を有する。当該導気溝１４の２端はそれぞれ凹み１２につながる。
図３に示すのは、本実施例のスペーサーシート１０とガラス基板２０が交互式に一緒に重なる状態を表している。最上層のガラス基板２０を取り出したい時は（通常は吸盤を有するロボットアーム（未表示）を利用して行う）、まず噴気物２２一つにより１側面（又は２側面、ひいては４側面）から当該ガラス基板２０の下方のスペーサーシート１０まで気流を供する。この時、気流は当該凹み１２より当該ガラス基板２０の下方に入ることとなり、且つ一部の気流は当該導気溝１４に入ることとなり、これらの気流は当該ガラス基板２０を持ち上げようとし、これとスペーサーシート１０はこのようにガラス基板２０とスペーサーシート１０との間の真空吸着と静電吸着の現象を減少又は除去させることとなり、ロボットアームがガラス基板をつかむ時、うまく下側のスペーサーシートと分離することができるようにする。
【０００６】
本実施例の最大の特徴は当該凹みにあり、これは気流がガラス基板の下に入ることができる空間を提供し、ひいては気流が真空吸着と静電吸着を減少又は除去することができるようにしている。導気溝の設置は気流がガラス基板とスペーサーシートに気流をあまねく行き渡らせることができるようにし、このようにして更に有効に真空吸着と静電吸着の減少又は除去をすることができる。
【０００７】
気流をガラス基板の底端に当たらせるために、凹みには導気傾斜を設置することができ、気流をガラス基板へ導く。図４は本考案の他の実施例によるスペーサーシート３０の凹み３２を示しているが、これは、斜め上に向かう平面の導気傾斜３４を有する。図５に示すように、本考案の他の実施例によるスペーサーシート４０は、凹み４２の導気傾斜４４は斜め上に向かう曲面である。
【図面の簡単な説明】
【０００８】
【図１】本考案の一実施例によるスペーサーシートを示す斜視図である。
【図２】本考案の一実施例によるスペーサーシートの一部を示す斜視図である。
【図３】本考案の一実施例によるスペーサーシートのガラス基板を重ねて気流がスペーサーシートとガラス基板との間に入る状態を示す模式図である。
【図４】本考案の他の実施例によるスペーサーシートを示す断面図である。
【図５】本考案の他の実施例によるスペーサーシートを示す断面図である。
【符号の説明】
【０００９】
１０：スペーサーシート、１２：凹み、１４：導気溝、２０：ガラス基板、２２：噴気物、３０：スペーサーシート、３２：凹み、３４：導気傾斜、４０：スペーサーシート、４２：凹み、４４：導気傾斜
【図１】
0003130490.tif 000003
【図２】
0003130490.tif 000004
【図３】
0003130490.tif 000005
【図４】
0003130490.tif 000006
【図５】
0003130490.tif 000007
(57)【要約】【課題】古新聞紙収納容器に収納された古新聞紙を結束紐により容易に結束することができるようにした古新聞紙収納容器を提供する。【解決手段】折り畳んだ古新聞紙を積み重ねた状態で収納するに適し、かつ、上端５を開口した古新聞紙収納容器１において、該容器の底部７上面には十文字状の溝９、１１を形成し、該容器の各壁部１５には該容器の上端５より底部の各溝の端部９ａ、１１ａに至る切欠部１７を備えさせたことを特徴とする古新聞紙収納容器。前記古新聞紙収納容器は、上端より底部に向かって徐々に狭くなるテーパ状に形成する。【選択図】図１
0003130487.tif 000002
【実用新案登録請求の範囲】
【請求項１】
折り畳んだ古新聞紙を積み重ねた状態で収納するに適し、かつ、上端を開口した古新聞紙収納容器において、
該容器の底部上面には十文字状の溝を形成し、該容器の各壁部には該容器の上端より底部の各溝の端部に至る切欠部を備えさせたことを特徴とする古新聞紙収納容器。
【請求項２】
前記古新聞紙収納容器は上端より底部に向かって徐々に狭くなるテーパ状に形成したことを特徴と請求項１に記載の古新聞紙収納容器。
【考案の詳細な説明】
【技術分野】
【０００１】
本考案は、古新聞紙収納容器に関するものであり、特に、廃棄すべき古新聞紙を積み重ねた状態で収納する容器に該古新聞紙の結束を容易ならしめる手段を備えさせてなる古新聞紙収納容器に係るものである。
【背景技術】
【０００２】
廃棄すべき古新聞紙を四つ折りして積み重ねた状態で収納する古新聞紙収納容器は、従来より一般に使用されている。
【０００３】
この古新聞紙収納容器内に収納された古新聞紙は、該古新聞紙収納容器から取り出した後、結束紐により結束した状態で収集される。
【０００４】
実用新案登録第３０７８９０２号公報は、古新聞紙を四つ折りして積み重ねた状態で収納するに適し、かつ、上端を開口した箱状体よりなる古新聞紙収納箱において、該箱状体は新聞故紙のチップボールにより形成され、該箱状体は少なくとも一対の結着用紙紐を相対向する上縁の近傍に備えると共に該箱状体を手に持つための手指挿入孔を備えていることを特徴とする古新聞紙収納箱を開示している。
【０００５】
前記古新聞紙収納箱は、古新聞紙を古新聞紙収納箱に収納した状態で該収納箱と共に新聞故紙として支障なく収集されるようにしたものである。換言すれば、この古新聞紙収納箱は、結着用紙紐を備えているが、古新聞紙と共に廃棄されるものである。
【特許文献１】実用新案登録第３０７８９０２号公報
【考案の開示】
【考案が解決しようとする課題】
【０００６】
古新聞紙収納容器に収納された古新聞紙を該古新聞紙収納容器から取り出して結束紐により結束する作業は面倒である。
【０００７】
また、前記実用新案登録第３０７８９０２号公報に示す従来の古新聞紙収納箱は、古新聞紙を該収納箱から取り出して結束紐により結束するようにしたものではなく、古新聞紙と共に廃棄されるものである。
【０００８】
本考案は、古新聞紙収納容器に収納された古新聞紙を結束紐により容易に結束することができるようにした古新聞紙収納容器を提供しようとしてなされたものである。
【課題を解決するための手段】
【０００９】
上記課題を解決するために、本考案は、下記の古新聞紙収納容器を提供するものである。
【００１０】
（１）折り畳んだ古新聞紙を積み重ねた状態で収納するに適し、かつ、上端を開口した古新聞紙収納容器において、
該容器の底部上面には十文字状の溝を形成し、該容器の各壁部には該容器の上端より底部の各溝の端部に至る切欠部を備えさせたことを特徴とする古新聞紙収納容器（請求項１）。
【００１１】
（２）前記古新聞紙収納容器は、上端より底部に向かって徐々に狭くなるテーパ状に形成する（請求項２）。
【考案の効果】
【００１２】
［請求項１の考案］
容器の底部上面には十文字状の溝を形成したため、予め該溝に結束紐を入れた状態で該容器内に古新聞紙を積み重ねれば、該古新聞紙の下面に結束紐が位置する。また、容器内に古新聞紙を積み重ねた後、該溝に結束紐を挿入することもできる。いずれの場合も、結束紐は溝内にあり、古新聞紙の重量を受けないため、該結束紐を長さ方向に動かして容易に位置調整をすることができる。
【００１３】
更に、容器の各壁部には該容器の上端より底部の各溝の端部に至る切欠部を備えさせたため、古新聞紙を容器内に積み重ねたまま、溝の両端部より突出している結束紐を該古新聞紙に巻き付けて結束することができる。
【００１４】
すなわち、古新聞紙を容器内に積み重ねたまま、結束紐により極めて容易に結束することができる。
【００１５】
[請求項２の考案]
古新聞紙収納容器は、上端より底部に向かって徐々に狭くなるテーパ状に形成されているため、保管、運搬、展示等の際に多数の古新聞紙収納容器を上下に積み重ねることができる。
【考案を実施するための最良の形態】
【００１６】
本考案による古新聞紙収納容器１は、折り畳んだ古新聞紙３、３・・・を積み重ねた状態で収納するに適し、かつ、上端５を開口した容器である点においては、従来の古新聞紙収納容器と共通する。
【００１７】
容器１の底部７上面には十文字状の溝９、１１を形成する。
【００１８】
十文字状の溝９、１１は、図４に示すように、結束紐１３を該溝９、１１内に位置させ、容器１内に折り畳んだ古新聞紙３、３・・・を積み重ねたときに、該結束紐１３が最下の古新聞紙３に接しない程度の寸法を備えさせるものとする。
【００１９】
容器１の各壁部１５には該容器１の上端５より底部７の各溝９、１１の端部９ａ、１１ａに至る切欠部１７を備えさせる。
【００２０】
古新聞紙収納容器１は、好ましくは、上端５より底部７に向かって徐々に狭くなるテーパ状に形成する。
【００２１】
なお、容器１の壁部１５には古新聞紙３、３・・・の高さに応じて必要な結束紐１３の長さを適宜の数字等により表示する表示手段１９を備えさせてもよい。
【図面の簡単な説明】
【００２２】
【図１】本考案による古新聞紙収納容器の一例を示す斜視図である。
【図２】十文字状の溝を示す平面図である。
【図３】同上古新聞紙収納容器の断面図である。
【図４】溝を示す断面図である。
【図５】古新聞紙収納容器を積み重ねる状態を示す正面図である。
【符号の説明】
【００２３】
１  古新聞紙収納容器
３  古新聞紙
５  上端
７  底部
９  溝
９ａ  端部
１１  溝
１１ａ  端部
１３  結束紐
１５  壁部
１７  切欠部
１９  表示手段
【図１】
0003130487.tif 000003
【図２】
0003130487.tif 000004
【図３】
0003130487.tif 000005
【図４】
0003130487.tif 000006
【図５】
0003130487.tif 000007
【手続補正書】
【提出日】平成19年1月15日(2007.1.15)
【手続補正１】
【補正対象書類名】実用新案登録請求の範囲
【補正対象項目名】請求項２
【補正方法】変更
【補正の内容】
【請求項２】
前記古新聞紙収納容器は上端より底部に向かって徐々に狭くなるテーパ状に形成したことを特徴とする請求項１に記載の古新聞紙収納容器。
(57)【要約】【課題】作業時間を簡単に算出して煩雑な時間管理を容易にした時間計算尺を提供するものである。【解決手段】固定尺２と、この長手方向に沿ってスライド自在に取付けられた可動尺３とから構成され、前記固定尺２には時刻の目盛４が印刷された時計目盛５が形成され、前記可動尺３には０から始まる時間の目盛６が印刷された作業目盛７が形成され、可動尺３の０目盛を、固定尺２の作業開始の時刻の目盛４にスライドして合わせ、作業終了時間に対応する固定尺２の目盛４に一致する可動尺３の作業目盛６から作業時間を算出するようにしたものである。【選択図】  図２
0003130489.tif 000002
【実用新案登録請求の範囲】
【請求項１】
固定尺と、この長手方向に沿ってスライド自在に取付けられた可動尺とから構成され、前記固定尺には時刻の目盛が印刷された時計目盛が形成され、前記可動尺には０から始まる時間の目盛が印刷された作業目盛が形成され、可動尺の０目盛を、固定尺の作業開始の時刻目盛にスライドして合わせ、作業終了時間に対応する固定尺の時計目盛に一致する可動尺の作業目盛から作業時間を算出するようにしたことを特徴とする時間計算尺。
【考案の詳細な説明】
【技術分野】
【０００１】
本考案は、開始時刻と終了時刻から作業時間を算出する時間計算尺に関するものである。
【背景技術】
【０００２】
一般に、場所を移動しての保守点検作業を行なう場合、作業時間に合わせて点検料や賃金が支払われる形態がある。このような保守点検作業では、１日に数カ所の作業を行なってきた場合の時間報告管理を、依頼元や上司に報告する必要がある。従来は、作業日報に、作業場所と作業開始時間、作業終了時間を記載し、作業終了後に、終了時間から開始時間の差を求めて、実働の作業時間を算出し、これを報告書に記載していた。しかしながら馴れていない初心者の場合には、計算を間違えることが多く、特に分単位の計算は面倒であり、その正確な算出や管理が面倒であった。
【考案の開示】
【考案が解決しようとする課題】
【０００３】
本考案は上記問題を改善し、作業時間を簡単に算出して煩雑な時間管理を容易にした時間計算尺を提供するものである。
【課題を解決するための手段】
【０００４】
本考案の請求項１記載の時間計算尺は、固定尺と、この長手方向に沿ってスライド自在に取付けられた可動尺とから構成され、前記固定尺には時刻の目盛が印刷された時計目盛が形成され、前記可動尺には０から始まる時間の目盛が印刷された作業目盛が形成され、可動尺の０目盛を、固定尺の作業開始の時刻目盛にスライドして合わせ、作業終了時間に対応する固定尺の時計目盛に一致する可動尺の作業目盛から作業時間を算出するようにしたことを特徴とするものである。
【考案の効果】
【０００５】
本考案に係る請求項１記載の時間計算尺によれば、固定尺には時刻の目盛が印刷された時計目盛が形成され、可動尺には０から始まる時間の目盛が印刷された作業目盛が形成され、可動尺の０目盛を、固定尺の作業開始の時計目盛に合わせ、作業終了時間に対応する固定尺の時計目盛に一致する可動尺の作業目盛を見れば、作業時間を簡単に算出することができる。
【考案を実施するための最良の形態】
【０００６】
以下本考案の実施の一形態を図１ないし図３を参照して詳細に説明する。図において１は時間計算尺を示すもので、これは固定尺２と可動尺３とから構成されている。固定尺２は図３に示すように断面Ｃ字形に形成され、この中央に断面凸形の可動尺３が嵌合し、この長手方向に沿ってスライド自在に取付けられている。
【０００７】
前記固定尺２には時刻の７時〜１９時まで１時間ごとに目盛４が印刷され、各１時間は更に５分毎に区分されて時計目盛５が形成されている。また１３時から２０時までは括弧書きで１から７時の数字が併記されている。また前記可動尺３には０から始まる１時間ごとに１２時まで目盛６が印刷され、各１時間は更に５分毎に区分されて作業目盛７が形成されている。
【０００８】
上記構成の時間計算尺１は、ある現場で保守点検作業を午前７時３０分に開始し、ここでの作業を午後２時に終了したとする。この場合図２に示すように、可動尺３の０目盛を、固定尺２の作業開始の時計目盛５の７時３０分の目盛４に合わせ、作業終了時間の午後２時に対応する固定尺２の目盛４の１４時（午後２時）に一致するこの下の可動尺３の目盛６を見ると、６時間３０分となる。従って可動尺３の０目盛を、固定尺２の作業開始の目盛４に合わせれば、作業終了時間に対応して、作業時間を簡単に算出することができる。
【０００９】
また休憩時間が途中に３０分あるような場合には、先ず可動尺３の０目盛を、固定尺２の作業開始の時計目盛５の７時３０分の目盛４に合わせてから、更に可動尺３の０目盛を右に３０分だけスライドさせて時計目盛５の８時の目盛４に合わせてから、作業終了時間の午後２時に対応する固定尺２の目盛４の１４時（２時）と一致するこの下の可動尺３の目盛６を見ると６となり、作業時間は６時間と算出される。
【００１０】
また１３時以降は括弧内に午後からの時間数時が併記されているので、錯覚による間違いも防止することができる。また目盛４、６の分の単位は、５分単位の場合について示したが、１分単位や１０分単位の目盛でも良い。
【産業上の利用可能性】
【００１１】
なお上記説明では、場所を移動しての保守点検作業を行なう場合について説明したが、工場などにおいて種類の異なる製品を製造する場合に、各製品の製造時間の管理にも使用することができる。
【図面の簡単な説明】
【００１２】
【図１】本考案の実施の一形態による時間計算尺の平面図である。
【図２】図１の時間計算尺の可動尺を移動させて計算している状態を示す平面図である。
【図３】時間計算尺の断面図である。
【符号の説明】
【００１３】
１    時間計算尺
２    固定尺                                                
３    可動尺                                                
４    目盛                                                  
５    時計目盛                                              
６    目盛                                                  
７    作業目盛            
【図１】
0003130489.tif 000003
【図２】
0003130489.tif 000004
【図３】
0003130489.tif 000005
(57)【要約】      （修正有）【課題】足裏の反射区やツボを刺激すると、血行や内臓の活動が活発になることは知られているが、下肢の静脈やリンパといった求心性の循環も整えなければ効果を十分あげることができない。また下肢の血液、体液の循環機能は加齢と共に弱くなる。下肢を適切に刺激し、循環機能をたかめることのできる道具を提供する。【解決手段】適度な硬さの樹脂ないし、木製の指圧突起１，８と柔らかい保護パッドを有した二本のシャフト６，７と、シャフトを左右に開閉するためのジョイント５で構成され、力の弱い人でも適切に下肢を刺激、マッサージできる。足、踝、ふくらはぎ、膝裏、太もも、鼠径部まで揉む事ができるよう突起を配置した。【選択図】図１
0003130428.tif 000002
【実用新案登録請求の範囲】
【請求項１】
下肢の血行を促進するための道具で、適度な刺激を与え、マッサージをするための木製ないしプラスチック製の突起と下肢保護用のパットを配置した二本のシャフトと、シャフトを連結し、かつ開閉するためのジョイントを持つ連結金具からなる事を特徴とする下肢の血行促進具。
【考案の詳細な説明】
【技術分野】
【０００１】下肢の主要な静脈及びリンパ節を少ない力で刺激でき、血液及びリンパ液の循環を促進するための道具の考案。
【背景技術】
【０００２】  筋肉の凝りを解消し血行を促進する電動式や手動式のサージ器はあるが、いずれも全身をマッサージする機能を応用して身体の各部位をマッサージするというものである。
【考案の開示】
【考案が解決しようとする課題】
【０００３】足裏の反射区およびツボを刺激すると血行や内臓の活動が活発になることは知られているが、下肢の血液やリンパの循環は動脈管と静脈管の性質の違いや、重力の影響などにより、相対的に流れが悪くなってしまう。また、加齢に伴う下肢の循環機能低下は高血圧の原因にもなる。高血圧を予防する意味でも硬化しやすい部分を的確に揉みほぐす必要がある。足裏の刺激で得られる効果を高めたり、硬くなった下肢を揉みほぐすには下肢の特徴を考慮にいれた道具が必要である。
【課題を解決する手段】
【０００４】  二本のシャフトを一点ないし二点のジョイントで連結し、使用者が軽い力で使える構造にした。踵からつま先を揉む突起、踵から太腿まで揉む突起（膝裏も含む）、鼠径部付近を揉む突起を配置した。また、突起物を配置した反対側のシャフトには使用者の皮膚を傷めないよう、柔らかいクッション材を配置した。
【考案の効果】
【０００５】  シャフトに配置された突起物で踵、ふくらはぎ、太腿、鼠径部、膝裏などにある静脈やリンパ節などを的確に刺激し、マッサージすることができる。その結果、足裏の刺激で得られる効果を高めることができる。軽い力で扱えるため力の弱い人も自分で下肢の血液循環を改善する事ができ、高血圧の予防にもなる。
【考案を実施するための最良の形態】
【０００６】  本考案に係わる下肢の血行促進具は図１が示すように、左右のシャフト（６、７）に指圧突起大（８）とパッド大（９）を配し、先端に左右のシャフト連結金具（３、４）を装着したもので、ジョイント（５）で連結されている。左右のシャフトはジョイント（５）を支点に開閉の動きをする。このことで高齢者といった力の弱い人でも固くなった下肢を揉みほぐすことができる。左右のシャフトの連結金具には指圧突起小（１）とパッド小（２）があり、足や踵を揉みほぐすことができる（図５、図６）。指圧突起大の位置や大きさは、ふくらはぎの内側や外側（図７）、膝の裏（図８）、太腿の内側と外側及び鼠径部（図９）にしっかりと当たるものとする。左右の連結金具にある指圧突起と、パッドはシャフト上に設置してもよい。また、ジョイントは１点である必要はない。図２は基本的な形状を示している。図３は指圧突起小を変形させ、シャフトの先端に移動したものである。図４はジョイント（５）を１点から２点に増やしたものである。
【図面の簡単な説明】
【０００７】
【図１】  本考案に係わる下肢の血行促進具の立体図
【図２】  本考案に係わる下肢の血行促進具の基本的形状
【図３】  指圧突起の変形と位置と連結金具の変形
【図４】  連結金具及びジョイントのバリエーション
【図５】  足での使用例
【図６】  踵での使用例
【図７】  ふくらはぎ内側での使用例
【図８】  膝裏（膝窩）での使用例
【図９】  太腿、鼠径部付近での使用例
【符号の説明】
【０００８】１    指圧突起小
２    パット小
３    左シャフト連結金具
４    右シャフト連結金具
５    ジョイント
６    右シャフト
７    左シャフト
８    指圧突起大
９    パット大
１０  グリップ
【図１】
0003130428.tif 000003
【図２】
0003130428.tif 000004
【図３】
0003130428.tif 000005
【図４】
0003130428.tif 000006
【図５】
0003130428.tif 000007
【図６】
0003130428.tif 000008
【図７】
0003130428.tif 000009
【図８】
0003130428.tif 000010
【図９】
0003130428.tif 000011
(57)【要約】【課題】  本考案は墓石等の棹石の揺れをを抑え、安定させ、ずれない、落ちないようにして耐震性を向上させる。【解決手段】  本考案は墓石等の棹石底部１ａと上台２の上部水平面２ａと上台２の底部水平面２ｂと中台３の上部水平面３ａに穴を切削し、弾性緩衝材からなる円柱または多角柱の形状を有する部材４の内部に適宜成形した穴に金属または石材からなる円柱または多角柱の形状を有する部材５、または取り付け結合可能な、締結部材６をはめ込んで固定することにより棹石１の安定性を増し耐震性を向上させる。【選択図】図１
0003130430.tif 000002
【実用新案登録請求の範囲】
【請求項１】
墓石等の棹石と上台の間、または上台と中台の間を固定する簡易耐震補強部材であって、弾性緩衝材からなる円柱または多角柱の形状を有する部材の内部に適宜穴を成形したところに、金属または石材からなる円柱または多角柱の形状を有する部材、または取り付け結合可能な締結部材をはめ込んだ鍵柱を棹石底部と上台上部水平面間、または上台底部水平面と中台上部水平面間に切削した穴にはめ込むを特徴とする墓石、石塔または石碑の簡易耐震補強鍵柱
【考案の詳細な説明】
【技術分野】
【０００１】  本考案は、墓石、石塔または石碑に鍵柱を設置し、固定する耐震補強部材に関するものである。
【背景技術】
【０００２】  墓石等は分割構造の上、最上部棹石部分は重心が上方にあるため、規模の大きい地震に対しては転倒する例が多い。
【考案の開示】
【考案の解決しようとす課題】
【０００３】  高価な上、貴い墓石等を転倒させるのは、被害甚大ゆえ、多少の地震なら耐えるように設置し、しかも経済的負担も少なくできることが建立者の望みである、従って、鍵柱を追加設置し、固定することは墓石等の安定性向上に役立ち耐震補強になり、前述の欠点を解決しようとするものである。
【問題を解決するための手段】
【０００４】  本考案は墓石等の棹石底部と上台の上部水平面と、上台底部水平面と中台上部水平面に穴を切削したところに弾性緩衝材からなる円柱または多角柱の形状を有する部材、または取付結合可能な締結部材をはめ込んで固定することで揺れに対する安定性を向上させ問題点を解決している。
【考案の効果】
【０００５】  上述のように、本考案の墓石、石塔または石碑の簡易耐震補強鍵柱は棹石の地震の揺れを棹石と上台間、上台と中台間に固定された弾性緩衝材が抑え、安定させ、ずれない、落ちないようにして耐震性を向上させている。
【考案の実施するための最良の形態】
【０００６】  墓石等の棹石底部と上台の上部水平面と上台底部水平面と中台上部水平面に穴を切削したところに、弾性緩衝部材からなる円柱または多角柱の形状を有する部材の内部に適宜穴を成形し、金属または石材からなる円柱または多角柱の形状を有する部材、または取り付け結合可能な締結部材をはめ込んだ鍵柱をはめ込んで固定することにより鍵柱部材が棹石の揺れを抑え安定性が向上する。
【実施例】
【０００７】  以下、添付図面に従って一実施例を説明する。１は墓石の棹石、２は上台、３は中台、４は鍵柱の弾性緩衝材からなる部材、５は鍵柱の金属または石材からなる部材である。棹石底部１ａへ切削した穴７と上台上部水平面２ａに切削した穴８と、上台底部水平面２ｂと中台上部水平面３ａへ切削した穴９，１０へ、弾性緩衝材からなる円柱または多角柱の形状を有する部材４の内部に適宜成形した穴へ、金属または石材からなる円柱または多角中の形状を有する部材５、または取り付け結合可能な締結部材６をはめ込んだ鍵柱をはめ込んで固定することにより棹石１の揺れに対する安定性が向上する。
【図面の簡単な説明】
【０００８】
【図１】  本考案の鍵柱を棹石と上台間、および上台と中台間にはめ込んで固定した場合の一実施例を示す側面断面図である。（ａ）取り付け結合可能な締結部材をはめ込んだ場合。（ｂ）金属または石材からなる円柱または多角柱の部材をはめ込んだ場合。
【図２】  本考案の鍵柱を棹石と上台間に設置した一実施例で、棹石を傾斜させた状態での斜視図である。
【図３】  鍵柱の斜視図である。（ａ）弾性緩衝材からなる円柱または多角柱の形状を有する部材に適宜成形した穴へ、金属または石材からなる円柱または多角柱の形状を有する部材をはめ込んだ鍵柱を示す斜視図である。（ｂ），（ｃ），（ｄ）取り付け結合可能な締結部材をはめ込んだ鍵柱の一実施例を示す斜視図である。
【符号の説明】
【０００９】  １      棹石
１ａ    棹石底部
２      上台
２ａ    上台上部水平面
２ｂ    上台底部水平面
３      中台
３ａ    中台上部水平面
４      鍵柱の弾性緩衝材からなる部材
５      鍵柱の金属または石材からなる部材
６      鍵柱の取り付け可能なる締結部材
６ａ    ボルト
６ｂ    プレートつき円柱部材
６ｃ    金属拡張プラグ
６ｄ    金属拡張アンカー
７      棹石底部に切削した穴
８      上台の上部水平面に切削した穴
９      上台の底部水平面に切削した穴
１０    中台上部水平面に切削した穴
１１    スプリングワッシャー
１２    ワッシャー
１３    ナット
【図１】
0003130430.tif 000003
【図２】
0003130430.tif 000004
【図３】
0003130430.tif 000005
(57)【要約】      （修正有）【課題】従来のロールブラシはハンドルが１本の為、利き手でドライヤーを持つ場合巻きつけた頭髪の固定がしにくいこと。及び、ロールブラシ部分の直径が大きい為、長髪やストレートヘアーのブロースタイリングには適しているがショートヘアーには不適だったことを解決する。【解決手段】ヘアーブラシに左右の握りハンドルＢ，Ｃを付ける事により、一人でヘアードライヤーを持ちながら一方の手で頭髪をロールブラシに巻きつけてブローする場合、巻きつけたロールブラシをどちらの手でも固定できる。且つ、従来のロールブラシではロール部分Ａの直径が大きかったが、直径を小さくした為、ショートヘアーの整髪でもボリュームやカールを付けやすくした。【選択図】図１
0003130422.tif 000002
【実用新案登録請求の範囲】
【請求項１】
ロール部分を挟んで左右にハンドル部分をつけることを特長とする、利き手以外の手でもヘアードライヤーとロールブラシを使い容易に整髪できる整髪用ロールヘアーブラシである。
【請求項２】
ロールブラシ部分の直径を小さくし、ショートヘアーの整髪が効果的にできる、請求項１に記載の整髪用ヘアーブラシである。
【考案の詳細な説明】
【考案の詳細な説明】
【技術分野】
【０００１】本考案は、ヘアースタイリングにおいてロール部を挟んでハンドルを左右に付けることにより利き手を問わずハンドルを握りながらヘアードライヤーで整髪できる、ヘアーブラシに関する物である。
【背景技術】
【０００２】従来のロールブラシは持ち手が１本の為、一人でドライヤーを動かしながらしながら整髪する場合、利き手以外の手ではドライヤーを思い通りに動かし難く頭髪をロール部分に巻き固定させる事が困難で容易にスタイリングできない。【０００３】従来のロール型ヘアーブラシの多くはロール部の直径が５ｃｍ〜６ｃｍの物が多くショートヘアーの整髪においてボリュームカールなど、十分なスタイリングが難しい。
【考案が解決しようとする課題】
【０００４】本考案はボリュームやカールを容易にできるよう、特にショートヘアーのブロースタイリングをしやすくした。
【課題を解決する為の手段】
【０００５】前記技術的課題は次の通りの本考案により達成できる。即ちドライヤーを用いてのスタイリングに本考案のロールブラシは図１に示すように、ロール部分Ａを挟んで左右にハンドルＢ，Ｃをつけたため利き手でドライヤーを握り、頭髪を他方の手でロール部分Ａに巻きつけハンドルＢ又はＣを握って固定できる為、カールとボリュームを付けた整髪が確実にでき、スタイリングが容易にできる機能を付加した整髪用ヘアーブラシである。
【０００６】ロール部分Ａは直径３．５センチメートルと直径を小さくした為中高年に多いショートヘアーの整髪には特に適するものである。ロールブラシ部分はＰＥ樹脂素材、柄はＡ。ＢＳプラスチックで軽さと耐熱に考慮した。
【考案実施の形態】
【０００７】従来のブラシより放射状のロール部分Ａの直径を小さくし左右に長さを違えたハンドルＢ及びＣを付けた。
【実施例】
【０００８】以下、添付図面により実施例を説明する。
ショートヘアースタイリングはドライヤーの後のブローで毛先に温風を当てスタイルを作る。その場合、髪の根元から立上げる必要があるがハンドルＢ，Ｃが左右にある為、頭髪をロール部Ａに巻きつけた後、左右どちらの手でもハンドルを固定しヘアドライヤーの送風ができる。毛先や根元に送風する細かな作業は利き手以外の手で押さえないと困難の為便利である。
【考案の効果】
【０００９】以上に示したように、左右のハンドルＢ，Ｃがある為利き手でドライヤーを自由自在に操作し、利き手以外の手で本考案のブラシを押さえる事ができる為、思い通りのブロースタイルができる。
【００１０】且つ、ロール部分Ａの直径を小さくした為、ヘアースタイリングの目標である、カールとボリュームが付けやすい効果を奏する。
【図面の簡単な説明】
【００１１】
【図１】左右に長さを違えた握りハンドルを付けた放射状のロールブラシである。
【符号の説明】
【００１２】Ａ  ロール部分  Ｂ  ハンドル部分  Ｃ  ハンドル部分
【図１】
0003130422.tif 000003
(57)【要約】      （修正有）【課題】片手用の剪定鋏の切刃の他に鋸歯を併せもたせ作業中の鋏と鋸との持ち替えの煩わしさを無くすための剪定鋏の構造改善に関する。【解決手段】従来の剪定鋏の切刃の先に鋸歯をつけ更にこの先に小枝の放逸を防ぐための枝止めをつける。【選択図】図３
0003130425.tif 000002
【実用新案登録請求の範囲】
【請求項１】
支点を境にして把手と切刃とが反対の側にある挺子式の片手用剪定鋏において、
（１）押切刃１１の一部分か押切刃先１２に隣接して押鋸歯１３をつけ、
（２）受切刃２１の一部分か受切刃先２２に隣接して受鋸歯２３をつけ、
（３）押鋸歯１３の先１５に押枝止め１６をつけ、
（４）受鋸歯２３の先２５に受枝止め２６をつけ、
（５）押把手１７と受把手２７との開きを閉めて押切刃１１と受切刃２１とが重なったときに、押枝止め１６と受枝止め２６とが重なり、押鋸歯１３と受鋸歯２３とが接着するようにし、
以上の構成からなる鋸歯と切刃とを併せもつ剪定鋏。
【考案の詳細な説明】
【技術の分野】
【０００１】  本案は片手用の剪定鋏に切刃の他に鋸歯を併せもたせ作業中の鋏と鋸との持ち替えの煩わしさを無くすための剪定鋏の構造改善に関する。
【背景技術】
【０００２】
【考案の開示】
【考案が解決しようとする課題】
【０００３】  （１）  剪定鋏では剪定できない太めの小枝を剪定するために別の鋸に持ち替えてこの鋸で剪定していたがその煩わしさを無くす方法が無かった。
（２）  従来の片手用剪定鋏で切断可能とされる木枝の直径は通常の場合約１ｃｍ〜１，５ｃｍ程度を限度としており、これより太い小枝の切断は鋸に頼るほかはなかった。
【課題を解決するための手段】
【０００４】  従来樹木の小枝等を剪定するには小枝の太さにより剪定に適した用具が必要とされており、通常は剪定鋏と鋸とを手元におきこれの使い分けをしていた。本案においては剪定作業中におけるこれらの用具を握り替える手間を省くために切刃と鋸歯の両用具を一体化することとし、従来の剪定鋏の切刃の一部分または切刃に隣接する部分に鋸の歯をつけ、剪定鋏の把手の開閉操作により鋸歯の使用を調整できるようにした。【０００５】  本案においては切刃の本来の性能を維持しながら鋸歯による廻し切り、つまり従来鋸の歯のある側の一方向への引き切りではなく小枝を両鋸歯で両外側から挟み押えておき、その一方の側の鋸歯で引き切りをしている間は他方の側の鋸歯は押し切りをしている状態となり、この引き切りと押し切りの操作を左右交互に繰り返す作業により、小枝切断の効率化を図ることとした。【０００６】  両把手先間の開きを広めの約１０ｃｍに保ったときに、押枝止めと受枝止めとの間が約３ｃｍとなり、直径約３ｃｍまでの太さの小枝までは本案鋸歯ゾーンか切刃ゾーンの何れかでこれを切断できるが、より太めの小枝の場合はこれを一旦鋸歯ゾーンで直径約３ｃｍから１ｃｍ程度になるまで切り詰めておいたものを、そのまま切刃ゾーンへ移して切刃で切断できるようにした。【０００７】  鋸歯廻し切りをする場合は剪定鋏で小枝を挟み押えながら手前に引張り気味にして操作するとより切断し易い。この作業中に小枝が鋸歯ゾーンまたは切刃ゾーンから放逸するのを防ぐために鋸歯の先端に枝止めを設けた。
【考案の効果】
【０００８】（１）  本案剪定鋏は切刃と鋸歯とを併有しているため作業中に他の切断用具と取り替えて握り直すという煩わしさがない。
（２）  太めの小枝であっても鋸歯と切刃の二つの部分の使用で楽に切断できる。
（３）  鋸歯の先に枝止めを設けたことにより一旦鋸歯ゾーンに挟み押えた小枝を放逸することなく切断作業が終るまでこれを確保しておける。
【考案を実施するための最良の形態】（１）  鋸歯の歯の形態を荒歯や中歯よりも切り易い細歯のものを採用した。
（２）  鋸歯の長さ、つまり刃渡りの寸法にあたる鋸歯本から鋸歯先までの長さを約５ｃｍとし、その厚みを１ｍｍ以上としている。
（３）  支点と切刃先の位置とを結ぶ直線上で押鋸歯と受鋸歯との歯が接触し、またこの状態において押枝止めと受枝止めとが重なるようにしてある。
（４）  両枝止めの間の開き巾が約３ｃｍから５ｃｍ程度に保っておけるように開バネをつけてある。
（５）  両枝止めは両鋸歯の延長としてこれと同じ平面と厚さをもつようにした。
【実施例】（１）  把手先から枝止めまでの全長を          ２４ｃｍ
把手先から支点までを                  １３ｃｍ
支点から切刃先までを                    ６ｃｍ
切刃先から枝止めまでの鋸歯の長さを      ５ｃｍとした。
（２）  この実施例の操作による両把手先間の開き巾に対応する両切刃先間の開き巾と両枝止めの間の開き巾の変動の状態は次のとおりである。
0003130425.tif 000003
【産業上の利用可能性】  枝切断用の剪定鋏は業者と一般利用者とを問わずその使用上の作業効率の向上と取り扱い上の簡素合理化が求められ本案実施例の商品化とその普及が望まれる。
【図面の簡単な説明】
【図１】  押鋏体の平面見取図
【図２】  受鋏体の平面見取図
【図３】  把手先間の開き巾が約１０ｃｍのときの本案剪定鋏の平面見取図
【図４】  ［請求項１］（５）の状態の平面見取図
【符号の説明】
１．押鋏体                １１  押切刃                ２１  受切刃
２  受鋏体                １２  押切刃先              ２２  受切刃先
３  支点                  １３  押鋸歯                ２３  受鋸歯
４  切刃ゾーン            １４  押鋸歯本              ２４  受鋸歯本
５  鋸歯ゾーン            １５  押鋸歯先              ２５  受鋸歯先
６  開バネ                １６  押枝止め              ２６  受枝止め
１７  押把手                ２７  受把手
１８  押把手先              ２８  受把手先
【図１】
0003130425.tif 000004
【図２】
0003130425.tif 000005
【図３】
0003130425.tif 000006
【図４】
0003130425.tif 000007